(57)【要約】      （修正有）【課題】緑化用プランタを所定の形状として、その敷設作業を容易とすることにある。【解決手段】複数の籾殻を結合剤で互いに結合して形成され、植物を載置する表面１２と、他の部材と当接する当接面６と、敷設される箇所と当接する敷設面２とを備える緑化用プランタ１４であって、当接面６と敷設面２との接合部位には切欠き部４が形成されている。【選択図】図１
2006101761.tif 000002
【特許請求の範囲】
【請求項１】
複数の籾殻を結合剤で互いに結合して形成され、
植物を載置する表面と、他の部材と当接する当接面と、敷設される箇所と当接する敷設面とを備える緑化用プランタであって、
前記当接面と前記敷設面との接合部位には切欠き部が形成されていることを特徴とする緑化用プランタ。
【請求項２】
請求項１に記載の緑化用プランタであって、
前記植物を載置する表面には、前記敷設面に向かって凹形状となった収納部が形成されていることを特徴とする緑化用プランタ。
【発明の詳細な説明】
【技術分野】
【０００１】
本発明は、緑化用プランタに関する。例えば、緑化したい場所に複数個ならべて敷設する緑化用プランタに関する。
【背景技術】
【０００２】
上述の緑化用プランタの従来例として、複数の籾殻を結合剤で互いに結合させてシート形状に形成したものがある（特許文献１を参照。）。個々の緑化用プランタは運搬可能な大きさに形成され、その表面には、芝生シートが固定されている。使用時には複数個の緑化用プランタが敷設される。
芝生シートは、その根が張った土（客土層）ごとシート状に切り取られたものである。芝生シートを緑化用プランタ上に配置した状態で放置しておくと、緑化用プランタの内部にまで芝生の根が張った状態（活着した状態）となり、緑化用プランタ表面に芝生シートが固定されることとなる。
そして、緑化用プランタを緑化したい場所に運搬し、複数の緑化用プランタを並べて敷設する。これにより、緑化したい場所に芝生等を直接植える場合と比較して、その場所を短期間で緑化することができる。
【特許文献１】特開２００３−３２５０３７号公報
【発明の開示】
【発明が解決しようとする課題】
【０００３】
この緑化する場所では、その美感上、緑化用プランタを隙間なく隣接させて敷設することが必要である。しかし緑化する場所には小石などがあり、この小石などのためにシート形状の緑化用プランタ間に隙間があいてしまう。このため、緑化用プランタの敷設作業の前に緑化する場所から小石などを取除く必要があり、その敷設作業に若干手間がかかっていた。
また、緑化用プランタに芝生を活着させる際には、芝生の生育状態を揃えるため、緑化用プランタを複数個ならべて放置しておく。このとき、隣り合う緑化用プランタ同士が芝生の根によって連結してしまうことがあった。これは、緑化用プランタから露出した客土層より芝生の根が伸びていき、他の緑化用プランタの客土層内にも入り込んでしまうためである。このため、緑化用プランタ同士を連結する根を運搬前に切り取る必要があった。
本発明は上述した点に鑑みて創案されたものである。すなわち本発明が解決しようとする課題は、緑化用プランタを所定の形状として、その敷設作業を容易とすることにある。
【課題を解決するための手段】
【０００４】
上記課題を解決するために、本発明の各発明は次の手段をとる。
先ず第１の発明に係る緑化用プランタは、複数の籾殻を結合剤で互いに結合して形成され、植物を載置する表面と、他の部材と当接する当接面と、敷設される箇所と当接する敷設面とを備える緑化用プランタであって、当接面と敷設面との接合部位には切欠き部が形成されている。
【０００５】
第１の発明に係る緑化用プランタには、他の部材と接触する当接面が形成されている。また、当接面と敷設面との接合部位には切欠き部が形成されている。他の部材と当接面を接触させた状態の緑化用プランタには、当接面と敷設面との接合部位に切欠き部の分だけの隙間が生じる。このため、緑化用プランタと他の部材とを並べて敷設すると、小石等がこの隙間に入り込むことになる。
【０００６】
次に第２の発明に係る緑化用プランタは、第１の発明に係る緑化用プランタであって、植物を載置する表面には、敷設面に向かって凹形状となった収納部が形成されている。
第２の発明では、植物を収納するための収納部が緑化用プランタに形成されている。なお収納部に植物を収納する時期は、緑化用プランタを敷設する前と後のいずれでもよい。
【発明の効果】
【０００７】
上述した本発明によれば、次の効果を得ることができる。
先ず第１の発明によれば、当接面と敷設面との接合部位に形成された切欠き部に小石等が入り込む。このため、小石等があったとしても緑化用プランタと他の部材とを隙間なく隣接させた状態で敷設することができる。
【０００８】
次に第２の発明によれば、収納部に植物を収納することで、緑化用プランタの表面外周から植物が離間して配置されることとなる。表面外周から植物が離間して配置されるだけ、他の緑化用プランタとの間の距離が長くなる。距離が長くなる分、他の緑化用プランタに植物の根が届くための生育期間が長くなるので、従来のように緑化用プランタ同士が植物の根で互いに絡まることなく出荷できる。
【発明を実施するための最良の形態】
【０００９】
以下に、本発明を実施するための最良の形態を図面を参照して説明する。図１〜図３は実施例１であり、図４〜図６は実施例２であり、図７〜図１０は実施例３である。なお図３，図８，図１０では、その内部の籾殻を省略して緑化用プランタを表すこととする。
各実施例に係る緑化用プランタ１４，２４（２４ａ），３４（３４ａ）は、「植物」を活着させた状態で運搬され、「緑化する場所」に複数個ならべて敷設して使用するものである。また植物は、その根が張り巡らされた土（「客土層」）と一体的になったものである。
【００１０】
なお「植物」としては、例えば、タマリュー，日本芝，西洋芝などの一年草や、オオマツ，ヨイグサなどの二年草や、省管理型コウライシバ（TM９），アルファルファ，セダムなどの多年草がある。多年草として、高木（喬木）と低木（潅木）の何れも含む。また洋茎や和茎などのラン科植物，サボテンなどの多肉植物，木本植物，球根，観葉植物，地衣植物，水生植物，温室植物，斑入植物，つる性植物，ヤシ科植物、高山植物，シダ植物，地這植物も「植物」に含まれる。なお「植物」は、発芽後の状態でもよく、種子の状態でもよい。
「緑化する場所」としては、例えば、公園，グランド，駐車場，ビアホール，アウトドアイベント会場のなどの野外や、ベランダ，屋根などの屋上や、イベント会場内部，室内などの屋内がある。
「客土層」としては、例えば、黒土，赤玉土，川砂，鹿沼土，桐生砂，浅間砂，富士砂，バーミキュライト，ゼオライトなどの鉱物性用土や、腐葉土，ピートモス，バーク堆肥などの植物性用土がある。また「客土層」は、一種類のみの用土で構成されていてもよく、二種類以上の用土が混合して構成されていてもよい。
【実施例１】
【００１１】
実施例１に係る緑化用プランタ１４を図１〜図３に基づいて説明する。
図１は芝生シートと緑化用プランタとの関係図、図２は図１のII−II線断面図、図３は芝生シートを活着させた状態の緑化用プランタの一部断面図である。
なお図１，３の芝生シート１６は、本来の生育場所から客土層ごとシート状に切り取られた日本芝（又は西洋芝）である。
【００１２】
［緑化用プランタの外観］
本実施例に係る緑化用プランタ１４は直方体の部材である。図１の緑化用プランタ１４は、その横幅寸法Ｔｙが３００ｍｍ、縦幅寸法Ｗｅが３８０ｍｍ、高さ寸法Ｔａが２５ｍｍに設定されている。この緑化用プランタ１４は、図３の通り、敷設面部２を載置面２０に向けた状態で緑化用プランタ１４が敷設される。
【００１３】
図２に示す表面部１２には、直方体状（凹状）の収納部１０が穿設され、その周囲には縁部８が形成されている。
収納部１０は、上述の芝生シート１６（図１を参照。）を収納できる寸法（幅寸法ｔｓや収納寸法ｔｎなど）を有している。この収納部１０は、内側面部１７，１７と底面部１８とからなる。
また、図３に示す縁部８の幅寸法ｗｅは、少なくとも、活着期間を考慮して水平方向に芝生の根が生育する長さ寸法よりも大きく設定されている。
【００１４】
また、外側面部５の当接面部６と敷設面部２との接合部位には、載置面２０に対して傾斜角度θで傾斜した面取部４が形成されている。
更に当接面部６と面取部４との接合位置５ａは、図２の断面で見て、収納部１０の底面部１８よりも敷設面部２寄りに形成されている。このため、収納部１０の内側面部１７と当接面部６との間の厚みは、その強度を確保するために一定（縁部８の幅寸法ｗｅと同一）に形成されている。なお接合位置５ａは、少なくとも底面部１８と同位置か若しくはそれよりも敷設面部２寄りに形成されていればよい。
【００１５】
並べて敷設された二つの緑化用プランタ１４，１４ａには、図３に示す通り、各面取部４，４ａの間に隙間部１９が形成されている。この隙間部１９は、載置面２０の表面状況に応じてその大きさが設定される。つまり隙間部１９の底面幅は、面取部４の傾斜角度θを調整して大きく又は小さく設定される。また隙間部１９の高さ寸法は、接合位置５ａの位置を調整してを高く又は低く設定される。
【００１６】
［緑化用プランタの材質］
緑化用プランタ１４の材質は、籾米の外被である籾殻である。つまり緑化用プランタ１４は、複数の籾殻を結合剤で互いに結合させて上述の形状に成形したものである。
籾殻は粒状であるため、複数の籾殻を密集させても籾殻同士の間には空気や水が通る隙間ができる。このため、その内部に隙間が形成された緑化用プランタ１４は、透水性や通気性を備えたものとなっている。また、芝生の根が張り巡らされるのに適した隙間を有することにもなる。また、籾殻内部は空洞状であり、外部から供給された水が外部にそのまま流出することなく留まる。このため籾殻製の緑化用プランタ１４は芝生の根の生育に適した保水性を有する。
【００１７】
この緑化用プランタ１４の備える透水性や通気性は、隙間のないウレタン等の樹脂で形成された従来品よりも植物の生育に適したものである。また緑化用プランタ１４の備える保水性は、その繊維内部が密のフェルト繊維やヤシ繊維と比較して高い。また一つ一つのチップが籾殻と比較して大きい木質チップでは、隙間から水が流出しやすく必要とされる保水性が得られない。
特に、籾殻製の緑化用プランタ１４は、木質チップやヤシガラ製のものと比較して腐りにくい。このため籾殻製の緑化用プランタ１４は、より長い期間芝生シート１６の生育基盤として機能することとなる。
なお活着作業前には、必要に応じて緑化用プランタ１４に加熱処理を施す。例えば、蒸気等で加熱処理し、緑化用プランタ１４の殺菌や殺虫や殺草などを行う。
【００１８】
なお、籾殻を薫蒸して炭化したクンタンが含まれた緑化用プランタ１４であってもよいまた籾殻のかわりにクンタンで形成された緑化用プランタ１４であってもよい。クンタンを含む緑化用プランタ１４は、クンタンに由来するリン酸とカリ分を多く含む。また炭化した部分の吸着作用によって客土層中の有害物質を吸着除去するため、芝生の根の生育が促進される。
【００１９】
また、使用される「結合剤」としては、接着剤，ポリウレタン等の樹脂，高吸水性ポリマー，透水性セメントなどがある。「接着剤」としては、例えば、デンプン，にかわ，カゼイン，天然ゴム，セラック，タール等の天然系接着剤、熱可塑性樹脂や熱硬化性樹脂やゴム等の有機接着剤、珪酸ソーダがある。
また、熱をかけることで溶融する熱可塑性樹脂や熱硬化性樹脂が「結合剤」として好ましい。つまり、粉状や粒状となった熱可塑性樹脂等と籾殻とを混合して緑化用プランタ１４を加熱成形する。成形時の熱により、発芽可能な籾殻や紛れ込んだ玄米の発芽能力を喪失させることができるためである。粉状や粒状の熱可塑性樹脂等は、液体状の接着剤と比較して籾殻と均等に混合しやすい。特に、脂肪族ポリエステルやポリ乳酸などの生分解性を有する熱可塑性樹脂が好ましい。生分解性の熱可塑性樹脂で籾殻を結合した緑化用プランタ１４は、土中の微生物により全て分解されるため、環境にもやさしいものとなる。
【００２０】
［緑化用プランタの作用効果］
先ず、図３に示す通り、緑化用プランタ１４と緑化用プランタ１４ａとを接触させて並べる。緑化用プランタ１４の当接面部６は、緑化用プランタ１４ａの当接面部６ａと面接触した状態となる。一方、緑化用プランタ１４の面取部４と緑化用プランタ１４ａの面取部４ａとの間には隙間部１９が形成される。この隙間部１９に、載置面２０に落ちている小石２１などが入り込むこととなる。このため、載置面２０に小石２１などがあったとしても緑化用プランタ１４，１４ａ同士を隙間なく隣接させた状態で敷設できる。
【００２１】
次に、芝生シート１６を収納部１０に収納する。収納部１０の周囲は縁部８で囲われている。このため、収納された状態の芝生シート１６は、緑化用プランタ１４の表面部１２外周から縁部８の幅寸法ｗｅだけ離間して配置されることとなる。表面部１２外周から芝生シート１６が離間して配置されるだけ、他の緑化用プランタ１４ａとの間の距離が長くなる。距離が長くなる分、他の緑化用プランタ１４ａに芝生の根が届くための生育期間がなるので、緑化用プランタ１４ａに芝生の根が入り込むことを防止又は低減することができる。このため、従来のように緑化用プランタ同士が植物の根で互いに絡まることなく出荷できる。
【００２２】
更に、芝生シート１６を収納部１０の内側面部１７，１７が支えるため、図３で見て左右に芝生シート１６がズレることがない。また、緑化用プランタ１４を手で抱えたり、車椅子に乗せて持ち運ぶ場合にも、その際に生じる揺れや振動で緑化用プランタ１４から芝生シート１６がズレることを防止または低減できる。また、芝生シート１６の客土層表面から用土がくずれ落ちることを防止又は低減できる。
【００２３】
次に、収納部１０に対応する外側面部５には部分的に厚みの薄い箇所がない。このため、対応する外側面部５の強度にはムラが生じず一定となる。このため外側面部５に外力が加わることで、強度の低い部分が破壊されることを防止することができる。特に、その内部に空隙が形成されている籾殻製の外側面部５が、その強度の低い部分で破断することを防止できる。
【００２４】
次に、緑化用プランタ１４では、図３に示す通り、収納部１０の底面部１８と内側面部１７との両者に芝生シート１６が活着した状態となっている。つまり、垂直方向のみ活着される従来品よりも、その活着度合いが高い（活着率が高い）ものとなる。活着率の高い芝生シート１６は、その根からの養分吸収がスムーズに行なわれる。また芝生シート１６の厚み面１６ａは、収納部１０の内側面部と接した状態であるため、乾燥しにくい状態となっている。このため、緑化用プランタ１４施工時に芝生の根が受けるストレスを軽減し、その植え痛みを防止することができる。また、緑化用プランタ１４を敷設した後に芝生シート１６を養生する手間が、低面部のみで植物と活着する（活着率が低い）従来品と比較して少なくてすむ。
【実施例２】
【００２５】
次に実施例２にかかる緑化用プランタ２４を図４〜図６に基づいて説明する。図４及び図６は緑化用プランタの別の例の斜視図、図５は植物を配置した別の例の緑化用プランタの一部断面図である。なお図５の緑化用プランタは、図４のV−V線断面に相当する。
緑化用プランタ２４は直方体の板部材であり、表面部１２と，外側面部５と，敷設面部２とを有する。表面部１２には、収納部１０ａと縁部８とが形成されている。また外側面部５には、当接面部６と面取部４とが形成され、互いに接合位置５ａで連接している。なお図面上、一つの収納部１０ａのみに符号を付すこととする。
つまり緑化用プランタ２４の基本的構成は上述の緑化用プランタ１４の基本的構成と同一である。よって緑化用プランタ１４と同一の構成部分には同一の符号を付し、その詳細説明を省略する。
【００２６】
緑化用プランタ２４が緑化用プランタ１４と異なっている点は、収納部１０ａの形状である。つまり、緑化用プランタ２４には、図３の通り、略円筒形状の収納部１０ａが８個形成されている。収納部１０ａの筒深さ寸法ｔｏ及び収納部１０ａの径寸法は、収納される植物２６の大きさによって適宜変更される。
緑化用プランタ２４によれば、収納部１０ａが円筒形状であるため、角部がある場合と比較して植物２６と収納部１０ａとの間に隙間ができにくい。隙間ができにくい分、植物２６の活着率が高まる。また、６つの収納部１０ａにそれぞれ異なる植物を収納することもできる。
【００２７】
また図６の緑化用プランタ２４ａには二つの収納部１０ｂが形成されており、各収納部１０ｂ，１０ｂには四つの誘導溝部１０ｃが９０度間隔で形成されている。この誘導溝部１０ｃの形状及び寸法は、収納部１０ｂ内に収納された植物の葉や茎などに対応して設定されることとなる。
例えば、タイトゴメやツルマンネングサなど葉や茎が地面を這って生育していく地這植物がある。またキュウリなどの植物を地面に這わせて生育することで気温上昇時や乾燥時に受ける害を少なくする地這栽培が一般に行なわれている。このような地這植物の生育や地這栽培において、植物の伸びた葉や茎を誘導溝部１０ｃに収納することでその育成方向を調節することができる。
【実施例３】
【００２８】
次に実施例３にかかる緑化用プランタ３４を図７〜図１０に基づいて説明する。図７は緑化用プランタを設置面側から見た斜視図、図８及び図１０は緑化用プランタの一部断面図、図９は緑化用プランタと樹脂製のプランタとの関係を示した図である。
緑化用プランタ３４は直方体の板部材であり、表面部１２と，外側面部５と，敷設面部２ａとを有する。表面部１２には、収納部１０と縁部８とが形成されている。また外側面部５には、当接面部６と面取部４とが形成され、互いに接合位置５ａで連接している。
つまり緑化用プランタ３４の基本的構成は上述の緑化用プランタ１４の基本的構成と同一である。よって緑化用プランタ１４と同一の構成部分には同一の符号を付し、その詳細説明を省略する。
【００２９】
緑化用プランタ３４が緑化用プランタ１４と異なっている点は、金型を用いて成形する際に、敷設面部２ａを縁どりしてその内部を凹状部２ｃにしたことである。また縁取りの四隅に台部２ｂを形成したことである。
図８の緑化用プランタ３４の台部２ｂは、長さ寸法ｄｎが７０ｍｍで幅寸法ｄｗが３０ｍｍに設定されている。また台部２ｂと凹状部２ｃとの高低差ｓ１は２．３ｍｍである。台部２ｂと縁取りとの高低差ｓ２は１．６ｍｍである。
【００３０】
この緑化用プランタ３４を、図２のような状態で載置しておくと、表面部１２の方が敷設面部２ａよりも乾燥しやすいため、緑化用プランタ３４の縁が表面部１２に向けて反り返る場合がある。このとき、凹状部２ｃ中央付近が載置面に対して突出した状態となるが、四つの台部２ｂと凹状部２ｃとには高低差ｓ１があるため、四つの台部２ｂと載置面とは接地したままとなる。このため反り返った状態の緑化用プランタ３４であっても、敷設した際のガタつきを防止又は低減できる。また金型を用いて形成する場合、その条件によっては凹状部２ｃに凹凸ができる場合があるが、そのような場合にも高低差ｓ１によって凹凸分の寸法誤差を吸収することができる。
また載置した状態の緑化用プランタ３４では、台部２ｂと凹状部２ｃとの高低差ｓ１分の隙間があくため、敷設面部２ａと載置面２０との間に小石２１（図３を参照。）などがあっても安定して敷設できる。
【００３１】
また図９に示すように、緑化用プランタ３４ａを樹脂製のプランタ３６に嵌め込んでもよい。緑化用プランタ３４ａの縁が樹脂製のプランタ３６に嵌め込まれて固定されているため、緑化用プランタ３４ａに求められる強度が確保でき、その反り返りも防止又は低減できる。
なお図１０の嵌め込み時においては、緑化用プランタ３４ａの敷設面部２に形成された溝部３５に樹脂製のプランタ３６の剣山状の針３８が刺さった状態となる。
【００３２】
［その他の実施の形態］
本発明に係る緑化用プランタ１４，２４（２４ａ），３４（ａ３４）は、上述した実施の形態に限定されるものではなく、その他各種の実施の形態を取り得る。
先ず、略四角の凸部の枠を表面部１２に形成してもよい。この略四角の凸部で囲まれた内部が収納部１０となる。この場合、収納部１０の底面部１８は縁部８と面一となる。
また芝生シート１６の表面積を緑化用プランタ１４の表面部１２の表面積よりも小さく形成した場合には、収納部１０を表面部１２に形成する必要はない。つまり、芝生シート１６を表面部１２中央位置に配置することで、芝生シート１６と表面部１２の外周とが離間状態となる。
また当接面部６と内側面部１７との間の厚みは、その強度を確保していれば一定でなくともよい。例えば、当接面部６と内側面部１７との間の厚みが、縁部８から底面部１８に向けて徐々に厚くなっていてもよい。
【００３３】
次に、緑化用プランタ１４等の形状は適宜変更できる。例えば、図１及び図４の上側から見て三角形や四角形や六角形などの多角形状の緑化用プランタ１４等であってもよい。
また緑化用プランタ１４等の寸法も適宜変更できる。例えば、図３に示す緑化用プランタ１４の高さ寸法Ｔａを緑化用プランタ１４ａよりも高くしてもよい。この場合、隣接して緑化用プランタ１４、１４ａを並べると階段状に段差が形成されることとなる。
また収納部１０，１０ａの形状も適宜変更可能である。三角形や四角形や星形など異なる形状の収納部１０ａでもよく、形状の異なる収納部１０ａを混在させて形成してもよい。また、収納部１０ａの個数も適宜変更できる。例えば、収納される植物が大きい場合には、収納部１０ａの径を大きくして表面部１２に１個〜７個形成する。収納される植物が小さい場合には、収納部１０ａの径を小さくして表面部１２に８個よりも多く形成する。
また、緑化用プランタ２４ａの誘導溝部１０ｃの形状や寸法も適宜変更可能である。
また、緑化用プランタ３４の敷設面部２ａの形状も適宜変更可能である。図７では、敷設面部２ａを縁取りしたが、必ずしも縁取りする必要はなく台部２ｂのみが形成されていてもよい。台部２ｂの形状も、図７のように略Ｌ字形ばかりでなく、三角や丸など適宜変更できる。
また、樹脂製のプランタ３６に針３８を設けず、ただ緑化用プランタ３４ａを嵌め込むだけでもよい。この場合には、緑化用プランタ３４ａの敷設面部２に溝部３５を形成する必要はなく面一となっていてもよい。
【００３４】
次に、面取部４と当接面部６とは、緑化用プランタ１４等の全ての側面に設ける必要はない。例えば、緑化用プランタ１４等を図３で見て左右方向にのみ配列する場合には、図３の左右の側面のみに面取部４と当接面部６とを形成するだけでよい。
また面取部４の形状は、図２の断面で見て階段状に形成されていてもよい。また、面取部４のように直線状の傾斜のほか、円弧状に傾斜が付されていてもよい。また面取部４は、緑化用プランタ１４等の外側面部５の一部にのみ形成されているだけでもよい。
【００３５】
次に、収納部１０，１０ａ，１０ｂに客土層となる用土のみを収納することもできる。この場合、用土の上に植物の種を直接播くことになる。
なお緑化用プランタ１４等は、図３のように載置面２０に載置するばかりでなく、壁などに斜めに立てかけて使用することも可能である。
【図面の簡単な説明】
【００３６】
【図１】実施例１の緑化用プランタと芝生シートとの関係図である。
【図２】図１のII−II線断面図である。
【図３】芝生シートを配置した実施例１の緑化用プランタの一部断面図である。
【図４】実施例２の緑化用プランタの斜視図である。
【図５】植物を配置した実施例２の緑化用プランタの一部断面図である。
【図６】実施例２の緑化用プランタの別の例の斜視図である。
【図７】実施例３の緑化用プランタをその敷設面部から見た場合の斜視図である。
【図８】図７のVIII−VIII線断面図である。
【図９】実施例３の緑化用プランタの別の例と樹脂製のプランタとの関係図である。
【図１０】実施例３の緑化用プランタの別の例の一部断面図である。
【符号の説明】
【００３７】
２，２ａ  敷設面部
２ｃ   凹状部
２ｂ   台部
４，４ａ  面取部
５     外側面部
５ａ  接合位置
６     当接面部
８     縁部
１０，１０ａ，１０ｂ  収納部
１０ｃ 誘導溝部
１２   表面部
１４，２４，２４ａ，３４，３４ａ  緑化用プランタ
１６   芝生シート
１６ａ 芝生シートの厚み面
１７   内側面部
１８   底面部
１９   隙間部
２０   載置面
２１   小石
２６   植物
３５   溝部
３６   樹脂製のプランタ
３８   針
【図１】
2006101761.tif 000003
【図２】
2006101761.tif 000004
【図３】
2006101761.tif 000005
【図４】
2006101761.tif 000006
【図５】
2006101761.tif 000007
【図６】
2006101761.tif 000008
【図７】
2006101761.tif 000009
【図８】
2006101761.tif 000010
【図９】
2006101761.tif 000011
【図１０】
2006101761.tif 000012